(57)【要約】【課題】介護される人、介護する人のいずれもが、どのような状態、どのような場合においても、パンツの取替えを、簡単容易な操作で、楽に行うことが出来る介護用パンツを提供可能にする。【解決手段】前布部１、後布部２、股下部３を主要構成部とする介護用パンツで、前布部１及び後布部２は両側部は分離しており、後布部２にはその分離部側に折り曲げ部２１，２２を有し、折り曲げ部２１，２２の内面側にはマジックテープ（登録商標、以下同様）の四角形の小片４を複数個取り付けてあり、前布部１の端面には２個のマジックテープの短冊状片６（図示省略）がとりつけられている。【選択図】　　　　　　図１
0003097811.tif 000002
【実用新案登録請求の範囲】
【請求項１】
前布部、後布部、股下の接続部を主要構成部とするパンツにおいて、前記前布部及び後布部は両側部のうち少なくとも一方は分離しており、前記後布部及び前記前布部の何れか一方にはその分離部側に折り曲げ部を有し該折り曲げ部の内面側にはマジックテープ（登録商標、以下同様）の切片を複数個取り付けてあり、前記後布部及び前記前布部の他の一方の分離部外面側の端面には少なくとも２個のマジックテープの短冊状片がとりつけられていることを特徴とする介護用パンツ。
【請求項２】
前布部、後布部を主要構成部とするパンツにおいて、前記前布部と前記後布部は股下部で分離しており、前記前布部、前記後布部の前記股下部の自由端のいずれか一方に折り曲げ部を有し該折り曲げ部の内面側には複数個のマジックテープの切片が取り付けてあり、自由端の他の一方の外面にはマジックテープ切片が取り付けてあることを特徴とする介護用パンツ。
【考案の詳細な説明】
【０００１】
【考案の属する技術分野】
本考案は、介護用パンツに関するものである。
【０００２】
【従来の技術】
介護用パンツは、介護される人、介護する人の何れにおいても、又、どのような介護の環境、すなはち、介護される人が寝たきりの状態，立ち上がることができる状態等々、色々と異なる状態において、できるだけ、効率よく、楽に、着脱ができるように、従来においても、種々の提案（例えば、特許文献１、２，３，４参照）がなされている。
【０００３】
【特許文献１】
実用新案登録第３０４５８６４号公報
【特許文献２】
実用新案登録第３０６６７９６号公報
【特許文献３】
実開平５−７２９０３号公報
【特許文献４】
実開平６−２２３０２号公報
【０００４】
【考案が解決しようとする課題】
本考案は、以上の公知技術に基づき、介護される人及び介護する人のいずれおもを主体とする介護用パンツを提供しようとするもので、着替える時、転倒しないように安定した姿勢が取れる。着替えが困難、又は、紙オムツをいやがる、寝たきりの病人やけが人或いは痴呆症などの高齢者に容易に使用できる。年齢に関係なく羞恥心の保護ができる。冬季における脱着時にからだの冷えの軽減、入浴をいやがる高齢者を抱える家族はせめて着替えをさせたいとする思いの達成を可能とすること等を可能とすることができる介護用パンツの提供を可能とするものである。
【０００５】
すなはち、本考案の介護用パンツは、如何なる状態の人にも、如何なる場合にも、介護される人、介護する人のいずれが、どのような状態、どのような場合においても、パンツの取替えを、簡単容易な操作で、楽に行うことが出来る介護用パンツを提供可能にすることを目的とするものである。
【０００６】
【課題を解決するための手段】
上述の課題を解決するためになされた本考案の構成は、
（１）　前布部、後布部、股下の接続部を主要構成部とするパンツにおいて、前記前布部及び後布部は両側部のうち少なくとも一方は分離しており、前記後布部及び前記前布部の何れか一方にはその分離部側に折り曲げ部を有し該折り曲げ部の内面側にはマジックテープ（登録商標、以下同様）の切片を複数個取り付けてあり、前記後布部及び前記前布部の他の一方の分離部外面側の端面には少なくとも２個のマジックテープの短冊状片がとりつけられていることを特徴とし、
（２）　前布部、後布部を主要構成部とするパンツにおいて、前記前布部と前記後布部は股下部で分離しており、前記前布部、前記後布部の前記股下部の自由端のいずれか一方に折り曲げ部を有し該折り曲げ部の内面側には複数個のマジックテープの切片が取り付けてあり、自由端の他の一方の外面にはマジックテープの切片が取り付けてあることを特徴とする。
【０００７】
【考案の実施の形態】
介護される人の状態の程度に応じて、その人、看護する人が、お互いに、楽に操作して、着替えの実施を可能にする目的を、簡単、容易に実現した。
【０００８】
【実施例】
図１及び２は、本考案の介護用パンツの一実施例の説明図で、図１は着用した状態を前面から見た図であって、図２は図１の介護用パンツの展開図で，（ａ）、（ｂ）は、それぞれ、内面側、外面側からみた状態が示してある。これらの図において、１は介護用パンツの前布部（腹側の布），２は同じく後布部（背中側の布），３は股下部，１０，２０は前布部１，後布部２の自由端、すなはち、腹側、背側の端面に設けられている緊迫用のゴム部材（ウエストゴム）、すなはち、パンツを人体に装着した場合胴部にパンツを装着するために設けられているクッション用ゴム、２１．２２は後布部２の自由端に延長形成されている延長片（背中側の布２の両脇部に設けられている耳部）、４，５（図において、４’の如く、符号に‘を付してあるのはは裏面側に設けられていることを示す。以下も同様）は延長片２１，２２の内面側に取り付けられている、例えば、四角形のマジックテープの切片、６は前布部１の外側面の両側部に取り付けられている短冊形のマジックテープを示している。
この後布部２の延長片２１，２２を腹側の前布部１側に折り曲げると、延長片２１，２２が腹側の前布部１の両側に重なるようになっている。そして、延長片２１，２２には、例えば、マジックテープの小片、例えば、四角形の小片がその長さ方向に配列取り付けられており、腹側の前布部１の両脇部１１，１２の裏面には、例えば、マジックテープの短冊状の切片６がとりつけられている。なお、短冊状の切片６には長さ方向に２分割された短冊状のものを用いた。
なお、結合部のマジックテープの一方を正方形状の小片とし、他方を短冊状としたのは、両者を正方形状の小片で構成した場合にはある程度の位置合わせが必要であるのに対して，このような構造とすれば、必ずしも正確な位置合わせの必要がなく、両者の位置ずれがある場合においても、取り付けが容易で、体調が不良な人、状態においても楽に使用可能である
以上の実施例は後布部に延長片を設けた例を示したが、前布部に延長片を設けた構造とした場合にも、同様な目的、効果を得ることができる。
この実施例の介護用のパンツは、例えば、綿ジャージー、アクリル入り綿ジャージー等で作成した。男女いずれにおいても使用できるが、男子用として前あきとしても良い。
また、夏用として綿トランクスとして構成することもできる。
【０００９】
以上のような介護用パンツは、着替える時、転倒しないように安定した姿勢が取れる。着替えが困難、又は、紙オムツをいやがる、寝たきりの病人ややけが人或いは痴呆症などの高齢者に容易に使用できる。年齢に関係なく羞恥心の保護ができる。冬季における脱着時におけるからだの冷えを軽減できる。入浴をいやがる高齢者を抱える家族はせめて着替えをさせたいという思いを達成できる。また、作成も容易におこなうことができる。等の効果を有するものである
【００１０】
図３は、本考案の他の実施例を示すもので、装着時の状態を示しており、図１，２と同様な部分には同一の符号が付してあり、２０はパンツの脇部、１３は図１と同様なクッション用ゴムを示している。
この実施例が図１，２に示した実施例と異なる点は、脇部の一方のみを開閉できるようにしてある点で、着脱操作は図１，２の場合と比べて簡単になる。すなはち、立った状態でパンツの着替えが可能な状態、ベッドの上で足を上げ、身体を傾けることのできるような場合には使用可能であり、製作も容易である。
【００１１】
図４は、さらに他の実施例を示すもので、装着時の状態を示すもので、この実施例が図１，２，３の実施例と異なる点は、脇部は開かず、股下の部分を開閉するようにしてある点であり、図１，２，３と同一部分には同一符号が付してあり、２３は背側の布の股下部の折り曲げ部、７は折り曲げ部に設けられている図１，２，３で用いたと同様なマジックテープの小片で図１，２，３の実施例と同様に構成される。
この例ではパンツは両側部は股下部で解放可能になっている。従って、マジックテープをはずすと筒状状態になるので、上から通して着替えさせることもできるので、頭部側、脚部からパンツの脱着の可能な場合に使用可能である。
【００１２】
なお、以上の実施例のような種類の異なる介護用パンツを用意することにより、その家族のそれぞれの使用目的に適したものを選択使用することが可能となる。
【００１３】
【考案の効果】
以上説明したように、本考案の介護用パンツは、着替える時、転倒しないように安定した姿勢が取れる。着替えが困難、又は、紙オムツをいやがる、寝たきりの病人やけが人或いは痴呆症などの高齢者に容易に使用できる。年齢に関係なく羞恥心の保護ができる。冬季における脱着時にからだの冷えの軽減、入浴をいやがる高齢者を抱える家族はせめて着替えをさせたいとする思いの達成を可能とすること等を可能とすることができる介護用パンツの提供を可能とするもので、産業上の効果の大なるものである
【図面の簡単な説明】
【図１】本考案の介護用パンツの一実施例の使用状態の説明図である。
【図２】同じく展開した状態を示す説明図である。
【図３】本考案の介護用パンツの他の実施例の説明図である。
【図４】本考案の介護用パンツのさらに他の実施例の説明図である。
【符号の説明】
１…前布部、２…後布部、３…股下部、１０，２０…クッション用ゴム、１１，１２…（前布部の）両脇部、２１，２２…（後布部の）折り曲げ部、４…マジックテープの四角形の小片、６…マジックテープの短冊状片。
【図１】
0003097811.tif 000003
【図２】
0003097811.tif 000004
【図３】
0003097811.tif 000005
【図４】
0003097811.tif 000006
【手続補正書】
【提出日】平成15年6月19日(2003.6.19)
【手続補正２】
【補正対象書類名】明細書
【補正対象項目名】実用新案登録請求の範囲
【補正方法】変更
【補正の内容】
【実用新案登録請求の範囲】
【請求項１】
前布部、後布部、股下の接続部を主要構成部とするパンツにおいて、前記前布部及び後布部は両側部のうち少なくとも一方は分離しており、前記後布部及び前記前布部の何れか一方にはその分離部側に折り曲げ部を有し該折り曲げ部の内面側には面ファスナーの切片を複数個取り付けてあり、前記後布部及び前記前布部の他の一方の分離部外面側の端面には少なくとも２個の面ファスナーの短冊状片がとりつけられていることを特徴とする介護用パンツ。
【請求項２】
前布部、後布部を主要構成部とするパンツにおいて、前記前布部と前記後布部は股下部で分離しており、前記前布部、前記後布部の前記股下部の自由端のいずれか一方に折り曲げ部を有し該折り曲げ部の内面側には複数個の面ファスナーの切片が取り付けてあり、自由端の他の一方の外面には面ファスナーの切片が取り付けてあることを特徴とする介護用パンツ。